(57)【要約】【課題】  家具を設置した後であっても、コーナーに沿って位置する第１及び第２の板状部材の位置調整を行えるようにすること。【解決手段】  キャビネット本体１１のコーナーＣに配置されたコーナー引き出し１２は、相互に交わる方向に配置された第１及び第２の板状部材３３，３４と、第１及び第２の板状部材３３，３４の後方にそれぞれ連設された一対の側板２６，２６と、各側板２６，２６の下部間に位置する底板２８と、第１及び第２の板状部材３３，３４の後方に設けられた調整機構３０とを備えて構成されている。調整機構３０は、第１及び第２の板状部材３３，３４と各側板２６，２６との間にそれぞれ設けられた一対の調整治具３９，３９と、各板状部材３３，３４と底板２８との間に形成された調整代４０とを備え、調整治具３９を所定操作したときに、各板状部材３３，３４と底板２８とが干渉しないように各板状部材３３，３４が左右に位置調整される。【選択図】      図２
2005329007.tif 000002
【特許請求の範囲】
【請求項１】
平面視で屈曲若しくは湾曲形状をなすコーナーを含む家具本体と、前記コーナーに設けられた引き出しとを備えた家具の引き出し構造において、
前記引き出しは、相互に交わる方向に配置された第１及び第２の板状部材と、当該第１及び第２の板状部材の後方にそれぞれ連設された一対の側部材と、各側部材の下部間に位置する底部材と、前記第１及び第２の板状部材の後方に設けられ当該第１及び第２の板状部材を左右に位置調整可能な調整機構とを備え、
前記調整機構は、前記各板状部材と側部材との間に設けられた調整治具と、各板状部材と底部材との間に設けられた調整代とを備えていることを特徴とする家具の引き出し構造。
【請求項２】
前記調整代は、第１及び第２の板状部材の後面に沿うスロット穴状に形成されていることを特徴とする請求項１記載の家具の引き出し構造。
【請求項３】
前記調整代の内側には、当該調整代を閉塞する閉塞部材が配置され、当該閉塞部材は、前記位置調整時に伸縮自在に変形して調整代の閉塞状態を保つことを特徴とする請求項２記載の家具の引き出し構造。
【請求項４】
前記第１及び第２の板状部材の内方端部側は、連結部材を介して相互に連結され、この連結部材は弾性変形可能に設けられていることを特徴とする請求項１ないし３の何れかに記載の家具の引き出し構造。
【発明の詳細な説明】
【技術分野】
【０００１】
本発明は、コーナーを有する家具の引き出し構造に係り、更に詳しくは、コーナーに設けられた引き出しの前方に位置する板状部材の位置調整を行うことができる家具の引き出し構造に関する。
【背景技術】
【０００２】
従来より、キッチン用のキャビネットとしては、左右方向に延びるカウンターと、当該カウンターの下側に位置するキャビネット本体と、このキャビネット本体内において上下及び左右に複数配置された引き出しとを備えたものが利用されている。キャビネット本体は、前方を開放する複数の箱体を左右に並設することにより構成され、各箱体に引き出しが上下に並べて配置されている。このようなキャビネットにおいて、各箱体を設置するときに、床面の水平度が低かったり、壁面が傾いていることにより箱体が変形し、当該変形に起因して各引き出しに位置ずれが生じる場合がある。このため、横方向に隣り合う引き出しの前板部材が干渉したり、上下に並んだ前板部材の側端が鉛直方向に対して不揃いになる、という問題がある。
そこで、このような問題を解消すべく、引き出しの前板部材及び側部材の間に調整治具を設けたものが知られている。この調整治具は、側部材の外側から操作可能な調整ねじを備え、当該調整ねじを回転操作することで、前板部材を上下及び左右方向に沿って移動でき、キャビネットを設置した後で前板部材の位置調整を行えるようになっている。
【０００３】
ところで、キャビネットの他の形態として、平面視で略Ｌ字状に形成されたものも利用されている。このようなキャビネットにおいて、キャビネット本体は、コーナーに位置するコーナー箱体と、当該箱体を挟むように位置する一対のサイド箱体とを組み合わせて構成される。コーナー箱体に設けられる引き出し５０は、図５及び図６に示されるように、前記コーナーに沿って平面視略Ｌ字状に形成された第１及び第２の板状部材５１，５２と、当該第１及び第２の板状部材５１，５２の後方に連設された一対の側部材５３，５３と、各板状部材５１，５２及び各側部材５３，５３の下部間に位置する底部材５５とを備えて構成されている。
【発明の開示】
【発明が解決しようとする課題】
【０００４】
しかしながら、図５及び図６に示される引き出し５０にあっては、前述の調整治具を適用することができず、ひいては、キャビネット設置後における第１及び第２の板状部材５１，５２の位置を調整できないという不都合がある。これは、仮に前記調整治具を適用しても、各板状部材５１，５２を上下方向に移動させることはできるものの、底部材５５の前端における入隅部５５Ａと各板状部材５１，５２の内方端部５１Ａ，５２Ａとが当接しているため、各板状部材５１，５２を図５中矢印Ｘ方向に移動させることができないことに起因して、各板状部材５１，５２の左右方向への調整ができないからである。
【０００５】
［発明の目的］
本発明は、このような不都合に着目して案出されたものであり、その目的は、家具を設置した後であっても、コーナーに沿って位置する第１及び第２の板状部材の位置調整を行うことができる家具の引き出し構造を提供することにある。
【課題を解決するための手段】
【０００６】
前記目的を達成するため、本発明は、平面視で屈曲若しくは湾曲形状をなすコーナーを含む家具本体と、前記コーナーに設けられた引き出しとを備えた家具の引き出し構造において、
前記引き出しは、相互に交わる方向に配置された第１及び第２の板状部材と、当該第１及び第２の板状部材の後方にそれぞれ連設された一対の側部材と、各側部材の下部間に位置する底部材と、前記第１及び第２の板状部材の後方に設けられ当該第１及び第２の板状部材を左右に位置調整可能な調整機構とを備え、
前記調整機構は、前記各板状部材と側部材との間に設けられた調整治具と、各板状部材と底部材との間に設けられた調整代とを備える、という構成を採っている。
【０００７】
本発明において、前記調整代は、第１及び第２の板状部材の後面に沿うスロット穴状に形成される、という構成を採用することができる。
【０００８】
また、前記調整代の内側には、当該調整代を閉塞する閉塞部材が配置され、当該閉塞部材は、前記位置調整時に伸縮自在に変形して調整代の閉塞状態を保つ、という構成も好ましくは採用される。
【０００９】
更に、前記第１及び第２の板状部材の内方端部側は、連結部材を介して相互に連結され、この連結部材は弾性変形可能に設けられる、という構成も採ることができる。
【発明の効果】
【００１０】
本発明によれば、家具本体の設置時に引き出しの位置がずれた場合、調整機構が調整治具及び調整代を備えているから、調整代によって各板状部材の左右方向の移動が許容され、調整治具を所定操作することで第１及び第２の板状部材の位置を簡単に調整することができるため、調整機構を介して第１及び第２の板状部材の左右の位置調整を行うことができ、これにより、家具の設置が完了した後、隣り合う引き出しの板状部材同士が干渉したり、板状部材の端部が不揃いとなることを容易に補正することが可能となる。
【００１１】
また、調整代を各板状部材の後面に沿うスロット穴状としたから、底部材の前部と各板状部材の後面とが離れるように底部材を加工するだけで調整代を簡単に形成することができる。この際、調整代の内部に閉塞部材を設けた場合には、調整代を通じて虫や埃が侵入したり、収納物が落下するようなスペースをなくすことが可能となる。しかも、閉塞部材が伸縮自在に変形するので、各板状部材を位置調整して調整代の形状が変化した場合であっても、これに閉塞部材が追従して調整代に隙間が生じることを回避することが可能となる。
【００１２】
更に、弾性変形可能な連結部材により第１及び第２の板状部材を連結したので、各板状部材の位置調整を行うときに、連結部材を変形させながら各板状部材の交差角度を変化させることができる。これにより、何れか一方の板状部材だけ左右に位置調整する等により、各板状部材の外方端部間の距離を変化させることができ、各板状部材の位置調整の自由度を高めることが可能となる。
【発明を実施するための最良の形態】
【００１３】
以下、本発明の好ましい実施の形態について図面を参照しながら説明する。
なお、本明細書及び特許請求の範囲における方向若しくは位置を示す用語は、コーナーの入隅側を正面視した場合すなわち図１中矢印Ａ方向から見た場合を基準とし、「前」とは、矢印Ａ方向から見た場合の手前側を示す一方、「後」とは、同奥行き側について用いられる。
【００１４】
図１には、本実施形態に係るキャビネットの概略斜視図が示されている。この図において、家具としてのキャビネット１０は、特に限定されるものでないが、本実施形態では、キッチン用キャビネットとして構成されている。このキャビネット１０は、平面視で略Ｌ字状の屈曲形状をなすコーナーＣを含む家具本体としてのキャビネット本体１１と、このキャビネット本体１１のコーナーＣに設けられた上下二段のコーナー引き出し１２，１２と、これらコーナー引き出し１２，１２の左右両側にそれぞれ設けられた複数のサイド引き出し１３とを備えて構成されている。
【００１５】
前記キャビネット本体１１は、略Ｌ字状の平面形状に設けられた天板１５と、この天板１５の図１中左右両側における下方位置に設けられるとともに、前記サイド引き出し１３，１３を収容する一対のサイド箱体１６，１６と、各サイド箱体１６，１６の間であって前記コーナーＣに位置するとともに、コーナー引き出し１２を収容するコーナー箱体１７とを備えて構成されている。各サイド箱体１６，１６は、平面視略コ字状に組み合わされて前方を開放する起立壁１９をそれぞれ備えている。コーナー箱体１７は、各サイド箱体１６の起立壁１９に略面接触する一対の側壁２０，２０と、各側壁２０，２０の後端側を連結するとともに、コーナーＣにおける天板１５の後端に沿って位置する後壁２１と、各側壁２０，２０の内側にそれぞれ配置されるとともに、同図中上下方向に向けられた一対の内側側壁２２，２２とを備え、各内側側壁２２，２２の間からコーナー引き出し１２が出し入れされる。各サイド箱体１６，１６及びコーナー箱体１７は、相互に別体に組み立てられた後、図１に示されるような平面形状に組み合わせて設置することでキャビネット１０を構成するようになっている。
【００１６】
前記コーナー引き出し１２は、図２にも示されるように、天板１５のコーナーＣにおける前端に沿って平面視略Ｌ字状をなす前板２４と、この前板２４と略平行に配置されて当該前板２４と同様に平面視略Ｌ字状に形成された背板２５と、前板２４と背板２５との間に設けられた一対の側部材としての側板２６，２６と、前板２４、背板２５及び各側板２６，２６の下部間に位置する底部材としての底板２８と、前板２４の前面に取り付けられた把手２９と、前板２４の後方に設けられた調整機構３０とを備えて構成されている。図１に示されるように、側板２６，２６と前記内側側壁２２，２２との間には、スライダ３１，３１が設けられ、当該スライダ３１，３１を介してコーナー引き出し１２を図１中上下方向に沿って出し入れできるようになっている。
【００１７】
前記前板２４は、図２中右斜め上方向に向けられた第１の板状部材３３と、この第１の板状部材３３と相互に略直交する方向すなわち同図中左斜め上方向に向けられた第２の板状部材３４とを含んで構成されている。第１の板状部材３３の内側木口面３３Ａは、第２の板状部材３４の前面３４Ｂと略同一面上に位置し、第２の板状部材３４の内側木口面３４Ａは、第１の板状部材３３の前面３３Ｂと略同一面上に位置するように配置されている。ここで、第１及び第２の板状部材３３，３４の内方端部側は、連結部材３５を介して相互に連結されている。この連結部材３５は、各板状部材３３，３４の後面に沿って上下方向（図２中紙面直交方向）に延びるアングル状（図３参照）に形成されているとともに、各板状部材３３，３４の後面に複数のねじ３６を介して取り付けられている。なお、連結部材３５は、特に限定されるものでないが、本実施形態では、鉄やアルミニウム等の金属若しくは適宜な樹脂材により構成され、意図的な外力を付与することで前記アングルのコーナーが角度変位するように弾性変形可能に設けられている。
【００１８】
前記側板２６は、図２に示されるように、第１及び第２の板状部材３３，３４の後部にスペーサ３８を介して連結され、当該スペーサ３８は、上下方向（図２中紙面直交方向）に延びる略三角柱状に形成されている。具体的には、スペーサ３８は、各板状部材３３，３４の後面に沿う取付面部３８Ａと、側板２６の前端が略突き当たるとともに、平面視で側板２６に略直交する方向（図２中左右方向）に向けられた後面部３８Ｂとを備えている。
【００１９】
前記調整機構３０は、第１及び第２の板状部材３３，３４と各側板２６，２６との間にそれぞれ設けられた一対の調整治具３９，３９と、各板状部材３３，３４と底板２８との間に形成された調整代４０とを備えている。
【００２０】
前記調整治具３９は、側板２６の前端側に埋設されてスペーサ３８の後面部３８Ｂに連結される本体部４２と、この本体部４２に設けられるとともに、側板２６の外側からスクリュードライバ等によって回転操作可能な二つの調整ねじ４３とを備えた公知の構造が採用されている。本実施形態では、二つの調整ねじ４３のうち、後方の調整ねじ４３を回転すると、各板状部材３３，３４が上下方向（図２中紙面直交方向）に沿って移動し、具体的には、図２中矢印Ｒ１方向に回転することで上方向、同矢印Ｒ２方向に回転することで下方向に移動する。一方、前方の調整ねじ４３を回転した場合、各板状部材３３，３４が左右方向に移動し、同矢印Ｒ３方向に回転することで右方向、同矢印Ｒ４方向に回転することで左方向に移動するようになっている。
【００２１】
前記調整代４０は、第１及び第２の板状部材３３，３４の後面から底板２８の前端が離れるように当該前端を入隅形状とすることにより形成され、各板状部材３３，３４の後面に沿うスロット穴状をなしている。従って、各板状部材３３，３４を左右方向に移動するときに、調整代４０の図２中左右方向に沿う幅Ｗに対応して各板状部材３３，３４と底板２８との干渉が回避されることとなる。また、図２及び図３中網点で示されるように、調整代４０の内側には、当該調整代４０を閉塞する閉塞部材４４が配置されている。この閉塞部材４４は、収縮及び膨張可能なスポンジ部材等からなり、各板状部材３３，３４の左右方向への移動に追従して伸縮自在に変形し、調整代４０の閉塞状態を保つようになっている。
【００２２】
なお、前記各サイド引き出し１３は、コーナー引き出し１２に対し、前板２４及び背板２５を略フラットに形成するとともに、スペーサ３８及び調整代４０を省略した点以外は、略同一の構造が採用されており、ここでは説明を省略する。
【００２３】
次に、前板２４を構成する第１及び第２の板状部材３３，３４を左右に位置調整する作業について、図２及び図４を用いて説明する。
【００２４】
ここでは、図２に示される第１及び第２の板状部材３３，３４の位置、すなわち、調整代４０の平面形状が略左右対称となり、各板状部材３３，３４を左右の何れの方向にも移動できるように調整代４０の幅Ｗが確保された位置を初期位置とする。この初期位置から第１及び第２の板状部材３３，３４を右方向に移動させる場合、各調整治具３９，３９の前方（図２中下側）の調整ねじ４３をスクリュードライバ等によってそれぞれ回転操作すればよい。これを図４を用いて更に詳述すると、先ず、同図（Ａ）に示されるように、左側の調整治具３９の前方の調整ねじ４３を矢印Ｒ３方向に回転する。これにより、第１の板状部材３３は、その外側端部側が右方向に移動し、且つ、連結部材３５が弾性変形して各板状部材３３，３４の交差角度が若干小さくなるように移動する。その後、図４（Ｂ）に示されるように、右側の調整治具３９の前方の調整ねじ４３を矢印Ｒ３方向に回転することで、第２の板状部材３４の外側端部側が右方向に移動し、これにより、第１及び第２の板状部材３３，３４が全体的に初期位置から右方向に位置調整されることとなる。
ここで、各板状部材３３，３４が移動する過程において、調整代４０によって各板状部材３３，３４と底板２８との干渉が回避されるとともに、調整代４０の平面形状が変化し、これに追従して閉塞部材４４が収縮及び膨張して調整代４０の閉塞状態が保たれるようになっている。
【００２５】
なお、前述の作業要領の説明において、左側の調整治具３９の調整ねじ４３を先に回転操作した後、右側の調整治具３９の調整ねじ４３を回転操作したが、この順序を逆としてもよい。また、各板状部材３３，３４を左方向に移動する場合には、同様の要領により、調整治具３９の前方の調整ねじ４３を矢印Ｒ４方向に回転操作すればよい。
【００２６】
また、何れか一方の調整治具３９の前方の調整ねじ４３だけを、図中矢印Ｒ３又はＲ４方向に回転させた状態とすれば、一方の板状部材３３，３４の外方端部を左右に位置調整可能となる。つまり、例えば、前述の作業において、右側の調整治具３９の調整ねじ４３を回転操作することなく、図４（Ａ）に示される状態とすれば第１の板状部材３３の外方端部だけを右方向に位置調整した状態となる。
【００２７】
従って、このような実施形態によれば、調整治具３９の調整ねじ４３を所定操作することにより、第１及び第２の板状部材３３，３４を左右方向に沿って簡単に位置調整することが可能となる。これにより、キャビネット１０を設置した後、上下に並ぶ前板２４同士が不揃いとなったり、コーナー引き出し１２の前板２４とサイド引き出し１３とが干渉する場合であっても、これを容易に修正することができ、各引き出し１２，１３の出し入れをスムースに行えるようにすることが可能となる。
【００２８】
本発明を実施するための最良の構成、方法などは、以上の記載で開示されているが、本発明は、これに限定されるものではない。
すなわち、本発明は、特定の実施の形態に関して特に図示し、且つ、説明されているが、本発明の技術的思想及び目的の範囲から逸脱することなく、以上に述べた実施例に対し、形状、位置若しくは方向、その他の詳細な構成において、当業者が様々な変形を加えることができるものである。
従って、上記に開示した形状などを限定した記載は、本発明の理解を容易にするために例示的に記載したものであり、本発明を限定するものではないから、それらの形状などの限定の一部若しくは全部の限定を外した部材の名称での記載は、本発明に含まれるものである。
【００２９】
例えば、前記第１及び第２の板状部材３３，３４の交差角度は、図示構成例に限られず、種々の変更が可能である。
また、前記第１及び第２の板状部材３３，３４の内方端部が相互に連なるように一体的に形成し、これらの連結部分が前記連結部材３５と同様に作用する構成に代替してもよい。
更に、キャビネット本体１１は、種々の設計変更が可能であり、例えば、コーナーＣが平面視で略円弧状をなす湾曲形状に形成し、当該湾曲形状に沿って第１及び第２の板状部材３３，３４を形成してもよい。
また、本発明は、キッチンに配置されるキャビネット１０に限られず、リビングに配置されるコーナー家具等の種々の家具に適用することができる。
【産業上の利用可能性】
【００３０】
本発明は、主に、キッチン等の室内空間におけるコーナー部に配置される家具に利用することができる。
【図面の簡単な説明】
【００３１】
【図１】実施形態に係るキャビネットの概略斜視図。
【図２】前記キャビネットを構成するコーナー引き出しの平面図。
【図３】図２の部分拡大斜視図。
【図４】（Ａ）及び（Ｂ）は、第１及び第２の板状部材の位置調整作業を説明するための平面図。
【図５】従来例に係る引き出しの平面図。
【図６】図５の引き出しの概略斜視図。
【符号の説明】
【００３２】
１０・・・キャビネット（家具）、１１・・・キャビネット本体（家具本体）、１２・・・コーナー引き出し、２６・・・側板（側部材）、２８・・・底板（底部材）、３０・・・調整機構、３３・・・第１の板状部材、３４・・・第２の板状部材、３５・・・連結部材、３９・・・調整治具、４０・・・調整代、４４・・・閉塞部材、Ｃ・・・コーナー
【図１】
2005329007.tif 000003
【図２】
2005329007.tif 000004
【図３】
2005329007.tif 000005
【図４】
2005329007.tif 000006
【図５】
2005329007.tif 000007
【図６】
2005329007.tif 000008